(57)【要約】【課題】確実な滅菌減容化処理はもとより労働安全の確保、大気及び水質汚染防止、自然環境の保全、エネルギーリサイクル等すべてを満足できる高度な医療廃棄物処理方法及び医療廃棄物処理装置を提供すること。【解決手段】筒状筐体に医療廃棄物の入ったポリ袋を供給し圧縮手段でピストンを下降させて医療廃棄物を圧縮する際に、ピストンの下降と上昇を繰り返し段階的に圧縮することによって医療廃棄物の入ったポリ袋が筒状筐体の内壁とピストンとの隙間への噛み込みやポリ袋が急激な圧縮により破裂することを防止し、かつ、加熱圧縮により溶融滅菌減容化して得たケーキを排出する際にゲートを全開しピストンの加熱手段下面をゲートの加熱手段上面数ミリメートルの距離まで下降させピストンに緊結してある加熱手段に固着しているケーキをゲートを閉じることによって強制的に掻き落とすことができる。【選択図】図１
2013146695.tif 000002
【特許請求の範囲】
【請求項１】
上下両端が開口している縦型筒状筐体の該筐体下部に加熱手段と開閉手段とを具えたゲートと、該筐体上部に加熱手段と昇降による圧縮手段とを具えたピストンと、該筐体側部に設けられた側部開口部を開閉するための開閉手段とを具えたハッチで構成する医療廃棄物処理装置において、前記筒状筐体に医療廃棄物の入ったポリ袋を供給し前記圧縮手段で前記ピストンを下降させて前記医療廃棄物を圧縮する際に、前記ピストンの下降と上昇を繰り返し段階的に圧縮することによって医療廃棄物の入った前記ポリ袋が前記筒状筐体内壁と前記ピストンとの隙間への噛み込みや前記ポリ袋が急激な圧縮により破裂することを防止し、かつ、加熱圧縮により溶融滅菌減容化して得たケーキを排出する際に前記ゲートを全開し前記ピストンの前記加熱手段下面を前記ゲートの前記加熱手段上面数ミリメートルの距離まで下降させ前記ピストンに緊結してある前記加熱手段に固着しているケーキを前記ゲートを閉じることによって強制的に掻き落とすことができることを特徴とする医療廃棄物処理装置。
【請求項２】
前記縦型筒状筐体の前記筐体上部に前記筐体内部を換気可能なノズルを更に設け、かつ、前記筐体下部を開閉するゲート開閉手段の外側上部に前記ゲート上部を換気可能なノズルを更に設け、前記ノズルと配管接続した送風機により医療廃棄物を加熱圧縮する過程で発生するガスを吸引し、かつ、前記送風機の吐出口にガスを脱臭するための脱臭手段と病原菌を濾過するための濾過手段とを更に具えることを特徴とする請求項１に記載の医療廃棄物処理装置。
【請求項３】
コンベア走行方向に走行可能な走行手段を具えた一定間隔一定高さの底付き仕切板と、前記コンベア走行方向両側のコンベアフレーム上に配した一定高さのサイドガイド板とによってバケットを形成するバケットコンベアに、前記バケットコンベアと直交し、かつ、前記バケットコンベア走行方向末端のサイドガイド板開口部から前記医療廃棄物処理装置の前記筐体側部開口部へ移載するためのプッシャー機構を具えた自動供給装置を更に具え、前記バケットコンベアのバケットに医療廃棄物の入ったポリ袋、ポリペール或いは缶類を積載し、前記医療廃棄物処理装置で医療廃棄物の処理サイクルが完了する度にバケットコンベアが１バケット分ずつ前進かつ停止し、前記バケットに積載している前記医療廃棄物を前記プッシャー機構によって前記医療廃棄物処理装置に自動供給し、前記バケットコンベアが異常ある時には前記バケットコンベアを連続的に前進させ、又は、後退させて前記バケットコンベアの前記バケットに積載してある前記医療廃棄物を取り出すことができることを特徴とする請求項１又は２に記載の医療廃棄物処理装置。
【請求項４】
上下方向に昇降可能な昇降手段を具えた可動板の下部に熱風吹込及び排気用突き刺しノズルを緊結し、かつ、前記突き刺しノズルと熱風温度を調節可能な熱風温度調節手段を具えた熱風発生装置とを配管接続することによって構成する医療廃棄物予熱装置を更に具え、前記バケットコンベアの前記バケット内に積載している医療廃棄物の入ったポリ袋及びポリペールに前記突き刺しノズルを突き刺して、前記熱風発生装置の熱風吹き込みによる医療廃棄物の予熱によってサイクルタイムを短縮し、かつ、前記上下方向に昇降可能な昇降手段を具えた可動板の周囲を排気ノズル付きのカバーで被い、かつ、前記カバーの前記排気ノズルと排気口にガスを脱臭するための脱臭手段と病原菌を濾過するための濾過手段とを具えた送風機の吸入口とを配管接続し、前記可動板に緊結している前記排気用突き刺しノズルから発生する排気ガスを脱臭及び濾過できることを特徴とする請求項１〜３のいずれか一項に記載の医療廃棄物処理装置。
【請求項５】
前記医療廃棄物予熱装置で医療廃棄物を熱風のみで加熱滅菌処理し、前記医療廃棄物処理装置を経由せず前記バケットコンベアから前記医療廃棄物を排出し、前記医療廃棄物の内容物を塩ビ系及び非塩ビ系に手動により分別できることを特徴とする請求項４に記載の医療廃棄物処理装置。
【請求項６】
前記上下方向に昇降可能な昇降手段を具えた可動板に緊結した熱風吹き込み用突き刺しノズルに電気的に開閉可能な電磁弁を具えた窒素ガス供給用配管を更に配管接続し、かつ、排気用突き刺しノズルに排気ガスの異常温度上昇を検知するための温度計を更に具え、ポリ袋及びポリペール内に熱風を吹き込むことによって医療廃棄物に混入している脱酸素剤が発火し火災が発生した場合に、前記温度計で排気ガスの異常温度上昇を検知し、前記窒素ガス供給用配管の前記電磁弁が電気的に連動して開き、ポリ袋及びポリペール内に窒素ガスを吹き込むことによってポリ袋及びポリペール内で発生した火災を自動的に消化できることを特徴とする請求項１〜５のいずれか一項に記載の医療廃棄物処理装置。
【請求項７】
前記バケットコンベアの前記サイドガイド板両側の同一軸線上に光電スイッチ用孔を更に設け、かつ、前記サイドガイド板の前記孔に光が透過可能な位置に一対の光電スイッチを更に配し、前記光電スイッチで前記バケットコンベアのバケット内に医療廃棄物の入ったポリ袋、ポリペール或いは缶類の有無を検出し、所定サイクル数の処理完了時に前記医療廃棄物予熱装置、前記バケットコンベア並びに前記医療廃棄物処理装置を自動的に順次停止できることを特徴とする請求項４〜６のいずれか一項に記載の医療廃棄物処理装置。
【請求項８】
前記縦型筒状筐体下部に側部孔を更に設け、前記孔に抜き差し可能な抜き差し手段を具えたフォーク機構を更に具え、前記縦型筒状筐体側部の側部開口部から医療廃棄物の入ったポリペール又は缶類を供給する時に、前記フォーク機構のフォークを前記筐体内部に前進させて前記ポリペール又は缶類を前記フォーク上に受け、前記側部開口部のハッチが閉じてから前記フォークを後退させ、前記筐体下部にある前記ゲート上に前記ポリペール又は缶類が転倒することなく積載できることを特徴とする請求項１〜７のいずれか一項に記載医療廃棄物処理装置。
【請求項９】
前記医療廃棄物予熱装置の前記熱風発生装置に摩擦式送風機を更に設けることによって、前記摩擦式送風機の摩擦熱で空気を予熱し、前記熱風発生装置の空気加熱のための電気エネルギーを低減できることを特徴とする請求項４〜８のいずれか一項に記載の医療廃棄物処理装置。
【請求項１０】
前記医療廃棄物予熱装置の前記上下方向に昇降可能な昇降手段を具えた前記可動板に緊結した前記熱風吹き込み及び排気用突き刺しノズルを、ポリ袋又はポリペールに突き刺して予熱している工程において、前記可動板が常時昇降して前記ポリ袋又はポリペール内の医療廃棄物を万遍なく加熱できることを特徴とする請求項４〜９のいずれか一項に記載の医療廃棄物処理装置。
【請求項１１】
前記縦型筒状筐体下部の前記ゲート下方に医療廃棄物の加熱圧縮により溶融滅菌減容して得たケーキを受けるためのスノコを更に配し、前記ゲートに前記スノコと一定間隔を保持できる押し板を更に緊結し、前記ゲートが開いて落下した前記ケーキを前記ゲートが閉じる時に前記ゲートに緊結した前記押し板で前記ケーキを自動的に外部に排出できることを特徴とする請求項１〜１０のいずれか一項に記載の医療廃棄物処理装置。
【請求項１２】
ポリ袋、ポリペール或いは缶類に入った医療廃棄物に、前記医療廃棄物の排出元である診療科ごとにバーコード又はクイックレスポンスコードを更に貼り付け、前記医療廃棄物を前記バケットコンベアの前記バケットに積載する時に前記バーコード又は前記クイックレスポンスコードを読み取り、前記医療廃棄物を加熱圧縮により溶融滅菌減容化処理した後、処理して得られたケーキに前記排出元情報並びに前記医療廃棄物予熱装置及び前記医療廃棄物処理装置の処理条件等を電子タグに自動的に書き込み、前記電子タグを前記ケーキにＩＣタグ貼付装置により自動的に貼り付けて医療廃棄物が適正処理したことを証明できることを特徴とする請求項４〜１１のいずれか一項に記載の医療廃棄物処理装置。
【請求項１３】
前記バケットコンベア、前記医療廃棄物予熱装置並びに前記医療廃棄物処理装置を電気的に連動させ、プログラマブルシーケンサー及び前記プログラマブルシーケンサーと電気的に連動するタッチパネルディスプレーで統合的に制御できることを特徴とする請求項４〜１２のいずれか一項に記載の医療廃棄物処理装置。
【請求項１４】
上下両端が開口している縦型筒状筐体に医療廃棄物の入ったポリ袋を供給する段階と、
前記筐体上部に加熱手段と昇降による圧縮手段とを具えたピストンの前記圧縮手段で前記ピストンを下降させて前記医療廃棄物を圧縮する際に、前記ピストンの下降と上昇を繰り返し段階的に圧縮することによって医療廃棄物の入った前記ポリ袋が前記筒状筐体内壁と前記ピストンとの隙間への噛み込みや前記ポリ袋が急激な圧縮により破裂することを防止する段階と、
加熱圧縮により溶融滅菌減容化して得たケーキを排出する際に前記筐体の筐体下部の加熱手段と開閉手段とを具えたゲートを全開する段階と、
前記ピストンの前記加熱手段下面を前記ゲートの前記加熱手段上面数ミリメートルの距離まで下降させ前記ピストンに緊結してある前記加熱手段に固着しているケーキを前記ゲートを閉じることによって強制的に掻き落とす段階とを有することを特徴とする医療廃棄物処理方法。
【請求項１５】
前記縦型筒状筐体の前記筐体上部に設けられた前記筐体内部を換気可能なノズル、及び前記筐体下部を開閉するゲート開閉手段の外側上部に前記ゲート上部を換気可能なノズルと配管接続した送風機により医療廃棄物を加熱圧縮する過程で発生するガスを吸引する段階と、
前記送風機の吐出口の脱臭手段によりガスを脱臭する段階と、
前記送風機の吐出口の濾過手段により病原菌を濾過する段階とを更に有することを特徴とする請求項１４に記載の医療廃棄物処理方法。
【請求項１６】
コンベア走行方向に走行可能な走行手段を具えた一定間隔一定高さの底付き仕切板と、前記コンベア走行方向両側のコンベアフレーム上に配した一定高さのサイドガイド板とによってバケットを形成するバケットコンベアのバケットに医療廃棄物の入ったポリ袋、ポリペール或いは缶類を積載する段階と、
前記医療廃棄物処理装置で医療廃棄物の処理サイクルが完了する度にバケットコンベアが１バケット分ずつ前進かつ停止する段階と、
前記バケットに積載している前記医療廃棄物を前記バケットコンベア走行方向末端のサイドガイド板開口部から前記医療廃棄物処理装置の前記筐体側部開口部へ移載するためのプッシャー機構を具えた自動供給装置の前記プッシャー機構によって前記医療廃棄物処理装置に自動供給する段階と、
前記バケットコンベアが異常ある時には前記バケットコンベアを連続的に前進させ、又は、後退させて前記バケットコンベアの前記バケットに積載してある前記医療廃棄物を取り出すことができる段階とを更に有することを特徴とする請求項１４又は１５に記載の医療廃棄物処理方法。
【請求項１７】
前記バケットコンベアの前記バケット内に積載している医療廃棄物の入ったポリ袋及びポリペールに、上下方向に昇降可能な昇降手段を具えた可動板の下部に熱風吹込及び排気用突き刺しノズルを緊結し、かつ、前記突き刺しノズルと熱風温度を調節可能な熱風温度調節手段を具えた熱風発生装置とを配管接続することによって構成する医療廃棄物予熱装置の前記突き刺しノズルを突き刺して、前記熱風発生装置の熱風吹き込みによる医療廃棄物の予熱によってサイクルタイムを短縮する段階と、
前記上下方向に昇降可能な昇降手段を具えた可動板の周囲を排気ノズル付きのカバーで被い、かつ、前記カバーの前記排気ノズルと排気口にガスを脱臭するための脱臭手段と病原菌を濾過するための濾過手段とを具えた送風機の吸入口とを配管接続することにより、
前記可動板に緊結している前記排気用突き刺しノズルから発生する排気ガスを脱臭及び濾過できる段階とを更に有することを特徴とする請求項１４〜１６のいずれか一項に記載の医療廃棄物処理方法。
【請求項１８】
前記医療廃棄物予熱装置で医療廃棄物を熱風のみで加熱滅菌処理する段階と、
前記医療廃棄物処理装置を経由せず前記バケットコンベアから前記医療廃棄物を排出する段階とを更に有し、前記医療廃棄物の内容物を塩ビ系及び非塩ビ系に手動により分別できることを特徴とする請求項１７に記載の医療廃棄物処理方法。
【請求項１９】
ポリ袋及びポリペール内に熱風を吹き込むことによって医療廃棄物に混入している脱酸素剤が発火し火災が発生した場合に、排気用突き刺しノズルに排気ガスの異常温度上昇を検知するための温度計で排気ガスの異常温度上昇を検知する段階と、
前記上下方向に昇降可能な昇降手段を具えた可動板に緊結した熱風吹き込み用突き刺しノズルに電気的に開閉可能な電磁弁を具えた前記窒素ガス供給用配管の前記電磁弁が電気的に連動して開き、ポリ袋及びポリペール内に窒素ガスを吹き込むことによってポリ袋及びポリペール内で発生した火災を自動的に消化できる段階とを更に有することを特徴とする請求項１４〜１８のいずれか一項に記載の医療廃棄物処理方法。
【請求項２０】
前記バケットコンベアの前記サイドガイド板両側に同一軸線上に設けられた光電スイッチ用孔に光が透過可能な位置に配された一対の光電スイッチで前記バケットコンベアのバケット内に医療廃棄物の入ったポリ袋、ポリペール或いは缶類の有無を検出する段階と、所定サイクル数の処理完了時に前記医療廃棄物予熱装置、前記バケットコンベア並びに前記医療廃棄物処理装置を自動的に順次停止できる段階とを更に有することを特徴とする請求項１７〜１９のいずれか一項に記載の医療廃棄物処理方法。
【請求項２１】
前記縦型筒状筐体側部の側部開口部から医療廃棄物の入ったポリペール又は缶類を供給する時に、前記縦型筒状筐体下部に設けられた側部孔に抜き差し可能な抜き差し手段を具えたフォーク機構のフォークを前記筐体内部に前進させて前記ポリペール又は缶類を前記フォーク上に受ける段階と、
前記側部開口部のハッチが閉じてから前記フォークを後退させ、前記筐体下部にある前記ゲート上に前記ポリペール又は缶類が転倒することなく積載できる段階とを更に有することを特徴とする請求項１４〜２０のいずれか一項に記載医療廃棄物処理方法。
【請求項２２】
前記医療廃棄物予熱装置の前記熱風発生装置に設けられた摩擦式送風機の摩擦熱で空気を予熱し、前記熱風発生装置の空気加熱のための電気エネルギーを低減できる段階を更に有することを特徴とする請求項１７〜２１のいずれか一項に記載の医療廃棄物処理方法。
【請求項２３】
前記医療廃棄物予熱装置の前記上下方向に昇降可能な昇降手段を具えた前記可動板に緊結した前記熱風吹き込み及び排気用突き刺しノズルを、ポリ袋又はポリペールに突き刺して予熱している工程において、前記可動板が常時昇降して前記ポリ袋又はポリペール内の医療廃棄物を万遍なく加熱できる段階を更に有することを特徴とする請求項１７〜２２のいずれか一項に記載の医療廃棄物処理装置。
【請求項２４】
前記ゲートが開いて落下した前記ケーキを前記ゲートが閉じる時に前記ゲートに緊結した、前記縦型筒状筐体下部の前記ゲート下方に医療廃棄物の加熱圧縮により溶融滅菌減容して得たケーキを受けるための前記スノコと一定間隔を保持できる前記押し板で前記ケーキを自動的に外部に排出できる段階を更に有することを特徴とする請求項１４〜２３のいずれか一項に記載の医療廃棄物処理方法。
【請求項２５】
前記医療廃棄物を前記バケットコンベアの前記バケットに積載する時に、ポリ袋、ポリペール或いは缶類に入った医療廃棄物に、前記医療廃棄物の排出元である診療科ごとに貼り付けられたバーコード又はクイックレスポンスコードを読み取る段階と、
前記医療廃棄物を加熱圧縮により溶融滅菌減容化処理した後、処理して得られたケーキに前記排出元情報並びに前記医療廃棄物予熱装置及び前記医療廃棄物処理装置の処理条件等を電子タグに自動的に書き込み、前記電子タグを前記ケーキにＩＣタグ貼付装置により自動的に貼り付けて医療廃棄物が適正処理したことを証明できる段階とを更に有することを特徴とする請求項１７〜２４のいずれか一項に記載の医療廃棄物処理方法。
【請求項２６】
前記バケットコンベア、前記医療廃棄物予熱装置並びに前記医療廃棄物処理装置を電気的に連動させ、プログラマブルシーケンサー及び前記プログラマブルシーケンサーと電気的に連動するタッチパネルディスプレーで統合的に制御できる段階を更に有することを特徴とする請求項１７〜２５のいずれか一項に記載の医療廃棄物処理方法。
【発明の詳細な説明】
【技術分野】
【０００１】
本発明は、病院などの医療機関で発生する感染性医療廃棄物の滅菌減容無害化処理用の医療廃棄物処理装置、及び医療廃棄物処理方法に関する。
【背景技術】
【０００２】
感染性医療廃棄物の処理方法については、これまでにも焼却処理、破砕薬液滅菌処理、オートクレーブによる加熱滅菌処理、マイクロウェーブによる灰化処理、高温プラズマ処理等いくつかの方法が提案されてきたが、それらの提案には下記のような問題があり十分なものとはいえなかった。
【０００３】
感染性医療廃棄物の代表的な処理方法である焼却処理については、医療廃棄物を焼却すると灰しか残らず減容化率が極めて高いことを特徴としているが、ダイオキシン発生を防止するために二次燃焼炉、廃ガス急冷装置、電気集塵装置、バグフィルター並びに排気ガス分析監視装置等が必須工程となり、これを備えていない場合には医療廃棄物に含まれる塩ビから発生する大量の塩化水素ガスにより著しく大気汚染する恐れがあるばかりか、エネルギーリサイクル的価値のある医療廃棄物を無為に焼却してしまうという意味においても環境保全並びにエネルギー活用の観点から大いに問題が残る。
【０００４】
また、破砕薬液滅菌処理については、医療廃棄物を破砕する際に医療廃棄物に含まれる病原菌が大気中に飛散する恐れがあり、医療廃棄物を破砕し薬液で滅菌処理しようとしても輸液チューブ等の微細孔に内在する病原菌を確実に滅菌できる保証はなく、かつ埋立処分場においては細かく破砕した医療廃棄物が風で山林や農耕地に飛散する恐れがあり滅菌の確実性と環境保全の観点から大いに問題が残る。
【０００５】
更に、オートクレーブによる加熱滅菌処理においては、パスカルの法則からいえばオートクレーブ内のあらゆる箇所において均一圧力と均一温度が実現でき確実に医療廃棄物の滅菌ができるものと考えていたが、現場の声によると完全に滅菌できておらず、かつ、滅菌処理後にグロテスクな医療廃棄物を原形のまま取り扱うことになり、滅菌の確実性と労働環境の観点からも大いに問題が残る。
【０００６】
また、マイクロウェーブによる灰化処理については家庭用の電子レンジの原理を応用したものであるが、処理能力が低いばかりか医療廃棄物に含まれる塩ビ系廃棄物を灰化処理すると塩化水素ガスが大量発生するため装置の耐食性確保はもとより前述の焼却処理のように廃ガス処理装置が必須工程となるため設備費が嵩み現実的な処理方法とはいえない。
【０００７】
更に、高温プラズマ処理については、３０００℃にも及ぶ高温で装置を運転するため高度な運転技術を求められるばかりか、医療廃棄物に含まれる塩ビ系廃棄物をプラズマ処理すると塩化水素ガスが大量発生するため装置の耐食性確保はもとより前述の焼却処理のように廃ガス処理装置が必須工程となるため設備費が嵩み現実的な処理方法とはいえない。
【０００８】
更に、特許文献１においては、加熱溶融方式或いは破砕薬液滅菌方式の感染性医療廃棄物の処理方法の問題を解決すべく、医療廃棄物をコンパクトなケーキの形で送り出す基板と、この基板上に架設されてケーキの排出路を具えたハウジングと、ハウジング上に配設されて医療廃棄物の投入口と揺動可能な押圧蓋を具えた直立状のシリンダと、シリンダ上に架設されて医療廃棄物を圧縮してケーキにするピストンを具えた第１のピストンユニットと、基板上に架設されてシリンダの落下口を開閉する可動板を具えた第２のピストンユニットと、ハウジングの下方において基板中に配設された蒸発ユニットとを含んでなる医療廃棄物の無害化処理装置等が開示されている。
【０００９】
また、特許文献２においては、コンベアを改良したバケットコンベアとして基枠の一端には、両端に夫々駆動車を軸着させた駆動軸を軸承し、また基枠の他端には両端に夫々従動車を軸着させた従動軸を軸承し、駆動軸の一端は減速装置を介してモ−タに連結すると共に、駆動車と従動車との間には無端帯を歩進回転可能に環回させた無端帯の上面に、Ｌ形の仕切板を夫々向かい合わせると共に互い背中合わせに取付け、基枠の両側上部には仕切板の両端にほぼ接するように夫々側面板を取付け、両側面板の一端には、一対の仕切板で形成したバケット部の断面形状と合致する形状の切欠部を設けることを特徴とするバケットコンベアが開示されている。
【００１０】
更に、特許文献３においては、加熱溶融方式の感染性医療廃棄物の処理方法の問題を解決すべく、医療廃棄物（Ｍ）を収容した袋体（Ｐ）を収容する複数のバケット（２）を所定方向に歩進回転しながら移送するバケットコンベア部（３）と、バケットに収容した医療廃棄物を加熱滅菌する加熱滅菌部（４、４ａ）と、加熱滅菌部の後位置で、加熱滅菌された医療廃棄物を圧縮してケーキ状物（Ｃ）にする圧縮処理部（５）と、圧縮処理部からケーキ状物を排出させる排出部（７）とからなる無害化処理装置において、バケットコンベア部（３）の走行方向に沿って配した側板（９）の内部に位置するバケット（２）内に医療廃棄物を収容した袋体を収容し、バケットコンベア部の走行路上に配して下部周面に複数の小孔を有した複数の加熱給気管（２３）と排気管（２５）とを設けると共に、加熱給気管に熱風吹込装置（２４）を設けてなり、加熱給気管および排気管を油圧シリンダにより押し下げて袋体内に刺し込んだ加熱給気管から熱風を吹き込んで加熱滅菌させることを特徴とする医療廃棄物の無害化処理装置が開示されている。
【００１１】
また、特許文献４においては、医療機関から発生する医療廃棄物を、加熱・圧縮手段により滅菌・減容化しようとすると、圧力によって加熱手段である発熱体に廃棄物が付着してしまい、排出困難となることを解決すべく、処理シリンダー（４）と、処理シリンダー（４）内部を上下動する手段を備えた電熱ヒーター（１４）付ピストン（１３）と、処理シリンダー（４）下端開口部を開閉する手段を備えた電熱ヒーター（１７）付ゲート（１６）で構成する医療廃棄物処理装置において、医療廃棄物を加熱・圧縮により滅菌・減容化した後、ゲート（１６）を全開してピストン（１３）の電熱ヒーター（１４）下端面を、ゲート（１６）の電熱ヒーター（１７）上端面まで下降させてゲート（１６）を全閉し、ピストン（１３）の電熱ヒーター（１４）に付着している処理物を機械的に掻き落とすことを特徴とする医療廃棄物処理装置の処理物排出機構が開示されている。
【先行技術文献】
【特許文献】
【００１２】
【特許文献１】特開平７−８８１４０号公報
【特許文献２】実開平６−４２８１９号公報
【特許文献３】特開２００１−２５２３４５号公報
【特許文献４】実用新案登録第３１２６３７７号明細書
【発明の概要】
【発明が解決しようとする課題】
【００１３】
本発明は、上述の医療廃棄物処理装置、及び医療廃棄物処方法に内在する様々な問題を解決すると共に、従来の医療廃棄物処理装置、及び医療廃棄物処理方法を更に改良して、確実な滅菌減容化処理はもとより労働安全の確保、大気及び水質汚染防止、自然環境の保全、エネルギーリサイクル等すべてを満足できる高度な医療廃棄物処理方法、及び医療廃棄物処理装置を提供することを課題とする。
【課題を解決するための手段】
【００１４】
上記の課題を解決するために、請求項１に記載の発明は、医療廃棄物処理装置において、上下両端が開口している縦型筒状筐体の筐体下部に加熱手段と開閉手段とを具えたゲートと、筐体上部に加熱手段と昇降による圧縮手段とを具えたピストンと、筐体側部に設けられた側部開口部を開閉するための開閉手段とを具えたハッチで構成する医療廃棄物処理装置において、筒状筐体に医療廃棄物の入ったポリ袋を供給し圧縮手段でピストンを下降させて医療廃棄物を圧縮する際に、ピストンの下降と上昇を繰り返し段階的に圧縮することによって医療廃棄物の入ったポリ袋が筒状筐体内壁とピストンとの隙間への噛み込みやポリ袋が急激な圧縮により破裂することを防止し、かつ、加熱圧縮により溶融滅菌減容化して得たケーキを排出する際にゲートを全開しピストンの加熱手段下面をゲートの加熱手段上面数ミリメートルの距離まで下降させピストンに緊結してある加熱手段に固着しているケーキをゲートを閉じることによって強制的に掻き落とすことができるであることを特徴とする。
【００１５】
請求項２に記載の発明は、請求項１に記載の医療廃棄物処理装置において、縦型筒状筐体の筐体上部に筐体内部を換気可能なノズルを更に設け、かつ、筐体下部を開閉するゲート開閉手段の外側上部にゲート上部を換気可能なノズルを更に設け、ノズルと配管接続した送風機により医療廃棄物を加熱圧縮する過程で発生するガスを吸引し、かつ、送風機の吐出口にガスを脱臭するための脱臭手段と病原菌を濾過するための濾過手段とを更に具えることを特徴とする。
【００１６】
請求項３に記載の発明は、請求項１又は請求項２に記載の医療廃棄物処理装置において、コンベア走行方向に走行可能な走行手段を具えた一定間隔一定高さの底付き仕切板と、コンベア走行方向両側のコンベアフレーム上に配した一定高さのサイドガイド板とによってバケットを形成するバケットコンベアに、バケットコンベアと直交し、かつ、バケットコンベア走行方向末端のサイドガイド板開口部から医療廃棄物処理装置の筐体側部開口部へ移載するためのプッシャー機構を具えた自動供給装置を更に具え、バケットコンベアのバケットに医療廃棄物の入ったポリ袋、ポリペール或いは缶類を積載し、医療廃棄物処理装置で医療廃棄物の処理サイクルが完了する度にバケットコンベアが１バケット分ずつ前進かつ停止し、バケットに積載している医療廃棄物をプッシャー機構によって医療廃棄物処理装置に自動供給し、バケットコンベアが異常ある時にはバケットコンベアを連続的に前進させ、又は、後退させてバケットコンベアのバケットに積載してある医療廃棄物を取り出すことができることを特徴とする。
【００１７】
請求項４に記載の発明は、請求項１〜３のいずれか一項に記載の医療廃棄物処理装置において、上下方向に昇降可能な昇降手段を具えた可動板の下部に熱風吹込及び排気用突き刺しノズルを緊結し、かつ、突き刺しノズルと熱風温度を調節可能な熱風温度調節手段を具えた熱風発生装置とを配管接続することによって構成する医療廃棄物予熱装置を更に具え、バケットコンベアのバケット内に積載している医療廃棄物の入ったポリ袋及びポリペールに突き刺しノズルを突き刺して、熱風発生装置の熱風吹き込みによる医療廃棄物の予熱によってサイクルタイムを短縮し、かつ、上下方向に昇降可能な昇降手段を具えた可動板の周囲を排気ノズル付きのカバーで被い、かつ、カバーの排気ノズルと排気口にガスを脱臭するための脱臭手段と病原菌を濾過するための濾過手段とを具えた送風機の吸入口とを配管接続し、可動板に緊結している排気用突き刺しノズルから発生する排気ガスを脱臭及び濾過できることを特徴とする。
【００１８】
請求項５の発明は、請求項４に記載の医療廃棄物処理装置において、医療廃棄物予熱装置で医療廃棄物を熱風のみで加熱滅菌処理し、医療廃棄物処理装置を経由せずバケットコンベアから医療廃棄物を排出し、医療廃棄物の内容物を塩ビ系及び非塩ビ系に手動により分別できることを特徴とする。
【００１９】
請求項６に記載の発明は、請求項１〜５のいずれか一項に記載の医療廃棄物処理装置において、上下方向に昇降可能な昇降手段を具えた可動板に緊結した熱風吹き込み用突き刺しノズルに電気的に開閉可能な電磁弁を具えた窒素ガス供給用配管を更に配管接続し、かつ、排気用突き刺しノズルに排気ガスの異常温度上昇を検知するための温度計を更に具え、ポリ袋及びポリペール内に熱風を吹き込むことによって医療廃棄物に混入している脱酸素剤が発火し火災が発生した場合に、温度計で排気ガスの異常温度上昇を検知し、窒素ガス供給用配管の電磁弁が電気的に連動して開き、ポリ袋及びポリペール内に窒素ガスを吹き込むことによってポリ袋及びポリペール内で発生した火災を自動的に消化できることを特徴とする。
【００２０】
請求項７に記載の発明は、請求項４〜６のいずれか一項に記載の医療廃棄物処理装置において、バケットコンベアのサイドガイド板両側の同一軸線上に光電スイッチ用孔を更に設け、かつ、サイドガイド板の孔に光が透過可能な位置に一対の光電スイッチを更に配し、光電スイッチでバケットコンベアのバケット内に医療廃棄物の入ったポリ袋、ポリペール或いは缶類の有無を検出し、所定サイクル数の処理完了時に医療廃棄物予熱装置、バケットコンベア並びに医療廃棄物処理装置を自動的に順次停止できることを特徴とする。
【００２１】
請求項８に記載の発明は、請求項１〜７のいずれか一項に記載の医療廃棄物処理装置において、縦型筒状筐体下部に側部孔を更に設け、孔に抜き差し可能な抜き差し手段を具えたフォーク機構を更に具え、縦型筒状筐体側部の側部開口部から医療廃棄物の入ったポリペール又は缶類を供給する時に、フォーク機構のフォークを筐体内部に前進させてポリペール又は缶類をフォーク上に受け、側部開口部のハッチが閉じてからフォークを後退させ、筐体下部にあるゲート上にポリペール又は缶類が転倒することなく積載できることを特徴とする。
【００２２】
請求項９に記載の発明は、請求項４〜８のいずれか一項に記載の医療廃棄物処理装置において、医療廃棄物予熱装置の熱風発生装置に摩擦式送風機を更に設けることによって、摩擦式送風機の摩擦熱で空気を予熱し、熱風発生装置の空気加熱のための電気エネルギーを低減できることを特徴とする。
【００２３】
請求項１０に記載の発明は、請求項４〜９のいずれか一項に記載の医療廃棄物処理装置において、医療廃棄物予熱装置の上下方向に昇降可能な昇降手段を具えた可動板に緊結した熱風吹き込み及び排気用突き刺しノズルを、ポリ袋又はポリペールに突き刺して予熱している工程において、可動板が常時昇降してポリ袋又はポリペール内の医療廃棄物を万遍なく加熱できることを特徴とする。
【００２４】
請求項１１に記載の発明は、請求項１〜１０のいずれか一項に記載の医療廃棄物処理装置において、縦型筒状筐体下部のゲート下方に医療廃棄物の加熱圧縮により溶融滅菌減容して得たケーキを受けるためのスノコを更に配し、ゲートにスノコと一定間隔を保持できる押し板を更に緊結し、ゲートが開いて落下したケーキをゲートが閉じる時にゲートに緊結した押し板でケーキを自動的に外部に排出できることを特徴とする。
【００２５】
請求項１２に記載の発明は、請求項４〜１１のいずれか一項に記載の医療廃棄物処理装置において、ポリ袋、ポリペール或いは缶類に入った医療廃棄物を、医療廃棄物の排出元である診療科ごとにバーコード又はクイックレスポンスコードを更に貼り付け、医療廃棄物をバケットコンベアのバケットに積載する時にバーコード又はクイックレスポンスコードを読み取り、医療廃棄物を加熱圧縮により溶融滅菌減容化処理した後、処理して得られたケーキに排出元情報並びに医療廃棄物予熱装置及び医療廃棄物処理装置の処理条件等を電子タグに自動的に書き込み、電子タグをケーキにＩＣタグ貼付装置により自動的に貼り付けて医療廃棄物が適正処理したことを証明できることを特徴とする。
【００２６】
請求項１３に記載の発明は、請求項４〜１２のいずれか一項に記載の医療廃棄物処理装置において、バケットコンベア、医療廃棄物予熱装置並びに医療廃棄物処理装置を電気的に連動させ、プログラマブルシーケンサー及びプログラマブルシーケンサーと電気的に連動するタッチパネルディスプレーで統合的に制御できることを特徴とする。
【００２７】
請求項１４に記載の発明は、医療廃棄物処理方法において、上下両端が開口している縦型筒状筐体に医療廃棄物の入ったポリ袋を供給する段階と、筐体上部に加熱手段と昇降による圧縮手段とを具えたピストンの圧縮手段でピストンを下降させて医療廃棄物を圧縮する際に、ピストンの下降と上昇を繰り返し段階的に圧縮することによって医療廃棄物の入ったポリ袋が筒状筐体内壁とピストンとの隙間への噛み込みやポリ袋が急激な圧縮により破裂することを防止する段階と、加熱圧縮により溶融滅菌減容化して得たケーキを排出する際に筐体の筐体下部の加熱手段と開閉手段とを具えたゲートを全開する段階と、ピストンの加熱手段下面をゲートの加熱手段上面数ミリメートルの距離まで下降させピストンに緊結してある加熱手段に固着しているケーキをゲートを閉じることによって強制的に掻き落とす段階とを有することを特徴とする。
【００２８】
請求項１５に記載の発明は、請求項１４に記載の医療廃棄物処理方法において、縦型筒状筐体の筐体上部に設けられた筐体内部を換気可能なノズル、及び筐体下部を開閉するゲート開閉手段の外側上部にゲート上部を換気可能なノズルと配管接続した送風機により医療廃棄物を加熱圧縮する過程で発生するガスを吸引する段階と、送風機の吐出口の脱臭手段によりガスを脱臭する段階と、送風機の吐出口の濾過手段により病原菌を濾過す段階とを更に有することを特徴とする。
【００２９】
請求項１６に記載の発明は、請求項１４又は請求項１５に記載の医療廃棄物処理方法において、コンベア走行方向に走行可能な走行手段を具えた一定間隔一定高さの底付き仕切板と、コンベア走行方向両側のコンベアフレーム上に配した一定高さのサイドガイド板とによってバケットを形成するバケットコンベアのバケットに医療廃棄物の入ったポリ袋、ポリペール或いは缶類を積載する段階と、医療廃棄物処理装置で医療廃棄物の処理サイクルが完了する度にバケットコンベアが１バケット分ずつ前進かつ停止する段階と、バケットに積載している医療廃棄物をバケットコンベア走行方向末端のサイドガイド板開口部から医療廃棄物処理装置の筐体側部開口部へ移載するためのプッシャー機構を具えた自動供給装置のプッシャー機構によって医療廃棄物処理装置に自動供給する段階と、バケットコンベアが異常ある時にはバケットコンベアを連続的に前進させ、又は、後退させてバケットコンベアのバケットに積載してある医療廃棄物を取り出すことができる段階とを更に有することを特徴とする。
【００３０】
請求項１７に記載の発明は、請求項１４〜１６のいずれか一項に記載の医療廃棄物処理方法において、バケットコンベアのバケット内に積載している医療廃棄物の入ったポリ袋及びポリペールに、上下方向に昇降可能な昇降手段を具えた可動板の下部に熱風吹込及び排気用突き刺しノズルを緊結し、かつ、突き刺しノズルと熱風温度を調節可能な熱風温度調節手段を具えた熱風発生装置とを配管接続することによって構成する医療廃棄物予熱装置の突き刺しノズルを突き刺して、熱風発生装置の熱風吹き込みによる医療廃棄物の予熱によってサイクルタイムを短縮する段階と、上下方向に昇降可能な昇降手段を具えた可動板の周囲を排気ノズル付きのカバーで被い、かつ、カバーの排気ノズルと排気口にガスを脱臭するための脱臭手段と病原菌を濾過するための濾過手段とを具えた送風機の吸入口とを配管接続することにより、可動板に緊結している排気用突き刺しノズルから発生する排気ガスを脱臭及び濾過できる段階とを更に有することを特徴とする。
【００３１】
請求項１８に記載の発明は、請求項１７に記載の医療廃棄物処理方法において、医療廃棄物予熱装置で医療廃棄物を熱風のみで加熱滅菌処理する段階と、医療廃棄物処理装置を経由せずバケットコンベアから医療廃棄物を排出する段階とを更に有し、医療廃棄物の内容物を塩ビ系及び非塩ビ系に手動により分別できることを特徴とする。
【００３２】
請求項１９に記載の発明は、請求項１４〜１８のいずれか一項に記載の医療廃棄物処理方法において、ポリ袋及びポリペール内に熱風を吹き込むことによって医療廃棄物に混入している脱酸素剤が発火し火災が発生した場合に、排気用突き刺しノズルに排気ガスの異常温度上昇を検知するための温度計で排気ガスの異常温度上昇を検知する段階と、上下方向に昇降可能な昇降手段を具えた可動板に緊結した熱風吹き込み用突き刺しノズルに電気的に開閉可能な電磁弁を具えた窒素ガス供給用配管の電磁弁が電気的に連動して開き、ポリ袋及びポリペール内に窒素ガスを吹き込むことによってポリ袋及びポリペール内で発生した火災を自動的に消化できる段階とを更に有することを特徴とする。
【００３３】
請求項２０に記載の発明は、請求項１７〜１９のいずれか一項に記載の医療廃棄物処理方法において、バケットコンベアのサイドガイド板両側に同一軸線上に設けられた光電スイッチ用孔に光が透過可能な位置に配された一対の光電スイッチでバケットコンベアのバケット内に医療廃棄物の入ったポリ袋、ポリペール或いは缶類の有無を検出する段階と、所定サイクル数の処理完了時に医療廃棄物予熱装置、バケットコンベア並びに医療廃棄物処理装置を自動的に順次停止できる段階とを更に有することを特徴とする。
【００３４】
請求項２１に記載の発明は、請求項１４〜２０のいずれか一項に記載の医療廃棄物処理方法において、縦型筒状筐体側部の側部開口部から医療廃棄物の入ったポリペール又は缶類を供給する時に、縦型筒状筐体下部に設けられた側部孔に抜き差し可能な抜き差し手段を具えたフォーク機構のフォークを筐体内部に前進させてポリペール又は缶類をフォーク上に受ける段階と、側部開口部のハッチが閉じてからフォークを後退させ、筐体下部にあるゲートの加熱手段上にポリペール又は缶類が転倒することなく積載できる段階とを更に有することを特徴とする。
【００３５】
請求項２２に記載の発明は、請求項１７〜２１のいずれか一項に記載の医療廃棄物処理方法において、医療廃棄物予熱装置の熱風発生装置に設けられた摩擦式送風機の摩擦熱で空気を予熱し、熱風発生装置の空気加熱のための電気エネルギーを低減できる段階を更に有することを特徴とする。
【００３６】
請求項２３に記載の発明は、請求項１７〜２２のいずれか一項に記載の医療廃棄物処理方法において、医療廃棄物予熱装置の上下方向に昇降可能な昇降手段を具えた可動板に緊結した熱風吹き込み及び排気用突き刺しノズルをポリ袋又はポリペールに突き刺して予熱している工程において、可動板が常時昇降してポリ袋又はポリペール内の医療廃棄物を万遍なく加熱できる段階を更に有することを特徴とする。
【００３７】
請求項２４に記載の発明は、請求項１４〜２３のいずれか一項に記載の医療廃棄物処理方法において、ゲートが開いて落下したケーキをゲートが閉じる時にゲートに緊結した、縦型筒状筐体下部のゲート下方に医療廃棄物の加熱圧縮により溶融滅菌減容して得たケーキを受けるためのスノコと一定間隔を保持できる押し板でケーキを自動的に外部に排出できる段階を更に有することを特徴とする。
【００３８】
請求項２５に記載の発明は、請求項１７〜２４のいずれか一項に記載の医療廃棄物処理方法において、医療廃棄物をバケットコンベアのバケットに積載する時に、ポリ袋、ポリペール或いは缶類に入った医療廃棄物に、医療廃棄物の排出元である診療科ごとに貼り付けられたバーコード又はクイックレスポンスコードを読み取る段階と、医療廃棄物を加熱圧縮により溶融滅菌減容化処理した後、処理して得られたケーキに排出元情報並びに医療廃棄物予熱装置及び医療廃棄物処理装置の処理条件等を電子タグに自動的に書き込み、電子タグをケーキにＩＣタグ貼付装置により自動的に貼り付けて医療廃棄物が適正処理したことを証明できる段階とを更に有することを特徴とする。
【００３９】
請求項２６に記載野発明は、請求項１７〜２５のいずれか一項に記載の医療廃棄物処理方法において、バケットコンベア、医療廃棄物予熱装置並びに医療廃棄物処理装置を電気的に連動させ、プログラマブルシーケンサー及びプログラマブルシーケンサーと電気的に連動するタッチパネルディスプレーで統合的に制御できる段階を更に有することを特徴とする。
【発明の効果】
【００４０】
本発明によって、感染性医療廃棄物を加熱圧縮し確実に溶融滅菌減容化処理が可能となる。また、環境汚染などの心配もなく運転操作が簡単なため本装置を病院内に設置して感染性医療廃棄物を院内処理することができるため、病院は素性の知れない廃棄物処理業者に感染性医療廃棄物処理を委託し、処理業者が不法投棄するなどによって病院が排出者責任を問われるリスクが完全に解消でき、病院としての社会的責任を全うすることができる。またさらに、感染性医療廃棄物を処理して得られたケーキは、製鉄所の高炉還元材料やセメント工場の燃料としてエネルギーリサイクルが可能となり、資源エネルギーの観点からも最も優れた医療廃棄物処理装置として大いに社会貢献できるという効果を奏する。
【００４１】
請求項１、及び請求項１４に記載の発明においては、医療廃棄物の入ったポリ袋はピストンの下降・上昇の繰り返しにより段階的に加熱圧縮できるため、医療廃棄物の入ったポリ袋は医療廃棄物とともに徐々に軟化しながら加熱圧縮されるので、ポリ袋が圧縮されて内圧が上昇してもピストン上昇時にポリ袋内の空気を適度に排気しながら圧縮できるため、ポリ袋が急激な圧縮によって破裂したり、ポリ袋が筒状筐体内壁とピストンとの間に噛み込んだりするトラブルは完全に解消するという効果を奏する。更に、加熱圧縮工程終了時の排出工程においても、ピストンの加熱手段に固着したケーキをゲートが開いてからピストンの加熱手段下面をゲートの加熱手段上面数ミリメートルの距離まで下降させて、ピストンの加熱手段に固着しているケーキを強制的に掻き取るようにできるため、ケーキが排出できないというトラブルは完全に解消しケーキ排出動作の確実性を飛躍的に向上できるという効果を奏する。
【００４２】
請求項２、及び請求項１５に記載の発明においては、医療廃棄物を加熱圧縮により溶融滅菌減容する際に発生する廃ガスは、筒状筐体内部及びゲート上部を強制換気することにより完全に脱臭・除菌できるため、医療廃棄物処理装置を設置している部屋は病院内の病室などよりもクリーンレベルが飛躍的に向上し、安全かつ快適な作業環境を提供できるようになるという効果を奏する。
【００４３】
請求項３、及び請求項１６に記載の発明においては、医療廃棄物の入ったポリ袋、ポリペール及び缶類を自動供給できるため医療廃棄物処理作業の省力化ができるばかりか、医療廃棄物の医療廃棄物処理装置に異常ある時にもバケットコンベア上の医療廃棄物を速やかに回収できるため、トラブル対策の作業性が飛躍的に向上するという効果を奏する。
【００４４】
請求項４、及び請求項１７に記載の発明のおいては、医療廃棄物は予熱手段によりサイクルタイムが短縮できるばかりか、医療廃棄物予熱装置からの廃ガスを強制換気することにより完全に脱臭・除菌できるため、医療廃棄物処理装置の本質的な安全化が可能となり、かつ、医療廃棄物処理装置を設置している部屋は病院内の病室などよりもクリーンレベルが飛躍的に向上し、安全かつ快適な作業環境を提供できるようになるという効果を奏する。
【００４５】
請求項５、及び請求項１８に記載の発明においては、滅菌済み医療廃棄物に含まれる厄介者の塩ビ系医療廃棄物を完全に分別できるため、塩ビ系廃棄物が取り除かれた滅菌済み廃棄物は粉砕加工等により即座にエネルギーリサイクルが可能となるという効果を奏する。
【００４６】
請求項６、及び請求項１９に記載の発明においては、患者の見舞客が持参する菓子類の脱酸素剤が医療廃棄物に混入し、脱酸素剤が予熱工程で発火し火災が発生しても排気用突き刺しノズルに設けてある温度計により排気ガスの異常温度上昇を即座に検知して火災が発生している医療廃棄物の入ったポリ袋及びポリペールに窒素ガス吹き込みによって火災を消火できるため、本質安全な医療廃棄物処理装置に進化させることができるという効果を奏する。
【００４７】
請求項７、及び請求項２０に記載の発明においては、これまではバケットコンベア上の医療廃棄物の有無を作業員が目視確認して医療廃棄物処理装置を手動停止していたものが、光電スイッチ及びシーケンサーとの電気的連動により医療廃棄物処理装置を自動停止できるため飛躍的な省力化が可能となるという効果を奏する。
【００４８】
請求項８、及び請求項２１に記載の発明においては、缶類のように筒状筐体よりも外形寸法が小さくて缶類に入った廃棄物を医療廃棄物処理装置に供給する時に、筒状筐体内部に突き出したフォークに缶類を載せハッチを閉じてからフォークを後退させるため、缶類の姿勢安定化が可能となり、缶類を缶類の上方から確実に圧縮できるので缶類に入っている医療廃棄物が筒状筐体内部で散乱する問題は解消することができるという効果を奏する。
【００４９】
請求項９、及び請求項２２に記載の発明においては、医療廃棄物を予熱するための空気は摩擦式送風機内の空気摩擦により予熱できるため、熱風発生装置で空気を加熱するための電気的エネルギーを大幅に低減することができるという効果を奏する。
【００５０】
請求項１０、及び請求項２３に記載の発明においては、医療廃棄物の入ったポリ袋及びポリペールに突き刺しノズルを突き刺して医療廃棄物を予熱中に、突き刺しノズルは常時昇降動作を繰り返しているため、ポリ袋及びポリペールに入っている医療廃棄物は万遍なく加熱できるので、予熱動作の信頼性を飛躍的に向上できるという効果を奏する。
【００５１】
請求項１１、及び請求項２４に記載の発明においては、加熱圧縮により溶融滅菌減容化処理済みのケーキは、ゲートに緊結してある押し板により確実に機外に順次排出することができるようになるという効果を奏する。
【００５２】
請求項１２、及び請求項２５に記載の発明においては、処理されたケーキの排出元、処理条件等が明確化できるため本発明の装置により医療廃棄物を加熱圧縮処理すれば医療廃棄物の不法投棄問題は完全に解消でき、環境維持に大きく貢献できるという効果を奏する。
【００５３】
請求項１３、及び請求項２６に記載の発明においては、本発明の医療廃棄物処理装置は単に統合的に制御できるばかりでなく、医療廃棄物処理装置を構成する機械部品類の寿命並びにメンテナンス時期も管理することが可能となるという効果を奏する。
【図面の簡単な説明】
【００５４】
【図１】は、本発明の医療廃棄物処理装置の正面図である。
【図２】は、本発明の医療廃棄物処理装置の側面図である。
【図３】は、本発明のバケットコンベア及び医療廃棄物予熱装置の側面図である。
【図４】は、本発明のバケットコンベアから医療廃棄物処理装置へ医療廃棄物を供給するための自動供給装置と医療廃棄物処理装置とを接続した際の正面図である。
【図５】は、本発明の医療廃棄物予熱装置の正面図である。
【図６】は、本発明の医療廃棄物処理装置の脱臭・除菌装置系統図である。
【図７】は、本発明の医療廃棄物予熱装置の脱臭・除菌装置系統図である。
【図８】は、本発明の医療廃棄物予熱装置の配管系統図である。
【発明を実施するための形態】
【００５５】
以下、本発明の実施の形態について説明する。
以下、添付図面を参照して、本発明の実施の形態を詳細に説明する。図面において、同一又は類似の構成要素には共通の参照符号を付す。
【実施例１】
【００５６】
本発明の実施例について説明する。図１と図２を参照して、上下両端が開口している縦型筒状筐体１ａの筐体下部の下部開口部１ｂに加熱手段２ａと開閉手段２ｂとを具えたゲート２と、筐体１ａ上部の上部開口部１ｃに加熱手段であるピストン加熱手段３ａと昇降による圧縮手段であるピストン昇降手段３ｂとを具えたピストン３と、筐体１ａ側部に設けられた側部開口部１ｄを開閉するための開閉手段であるハッチ開閉手段４ａとを具えたハッチ４で構成する医療廃棄物処理装置１が開示されている。筒状筐体１ａに医療廃棄物の入ったポリ袋を供給し圧縮手段であるピストン昇降手段３ｂでピストン３を下降させて医療廃棄物を圧縮する際に、ピストン３の下降と上昇を繰り返し段階的に圧縮することによって医療廃棄物の入ったポリ袋が筒状筐体１ａの内壁とピストン３との隙間への噛み込みやポリ袋が急激な圧縮により破裂することを防止する。そして、加熱圧縮により溶融滅菌減容化して得たケーキを排出する際にゲート２を全開しピストン３の加熱手段であるピストン加熱手段３ａの下面をゲート２の加熱手段２ａの上面数ミリメートルの距離まで下降させピストン３に緊結してある加熱手段であるピストン加熱手段３ａに固着しているケーキをゲート２を閉じることによって強制的に掻き落とすことができる。
【００５７】
これを、医療廃棄物処理方法の観点から見てみると、上下両端が開口している縦型筒状筐体１ａに医療廃棄物の入ったポリ袋を供給する段階と、筐体１ａ上部の上部開口部１ｃに加熱手段であるピストン加熱手段３ａと昇降による圧縮手段であるピストン昇降手段３ｂとを具えたピストン３の圧縮手段であるピストン昇降手段３ｂでピストン３を下降させて医療廃棄物を圧縮する際に、ピストン３の下降と上昇を繰り返し段階的に圧縮することによって医療廃棄物の入ったポリ袋が筒状筐体１ａの内壁とピストン３との隙間への噛み込みやポリ袋が急激な圧縮により破裂することを防止する段階と、加熱圧縮により溶融滅菌減容化して得たケーキを排出する際に筐体１ａの筐体下部の下部開口部１ｂの加熱手段２ａと開閉手段とを具えたゲート２を全開する段階と、ピストン３の加熱手段であるピストン加熱手段３ａの下面をゲート２の加熱手段２ａの上面数ミリメートルの距離まで下降させピストン３に緊結してある加熱手段であるピストン加熱手段３ａに固着しているケーキをゲート２を閉じることによって強制的に掻き落とすことができる段階とを有することになる。
なお、医療廃棄物処理装置１の具体的構成は特許文献１に詳述されているので、これ以上説明しない。
【００５８】
これにより、医療廃棄物の入ったポリ袋はピストン３の下降・上昇の繰り返しにより段階的に加熱圧縮でき、医療廃棄物の入ったポリ袋は医療廃棄物とともに徐々に軟化しながら加熱圧縮され、ポリ袋が圧縮されて内圧が上昇してもピストン上昇時にポリ袋内の空気を適度に排気しながら圧縮できるため、ポリ袋が急激な圧縮によって破裂したり、ポリ袋が筒状筐体１ａ内壁とピストン３との間に噛み込んだりするトラブルは完全に解消する。更に、加熱圧縮工程終了時の排出工程においても、ピストン３の加熱手段であるピストン加熱手段３ａに固着したケーキをゲート２が開いてからピストン３の加熱手段であるピストン加熱手段３ａ下面をゲート２の加熱手段２ａ上面数ミリメートルの距離まで下降させて、ピストン３の加熱手段であるピストン加熱手段３ａに固着しているケーキを強制的に掻き取るようにできるため、ケーキが排出できないというトラブルは完全に解消しケーキ排出動作の確実性を飛躍的に向上できる。
【実施例２】
【００５９】
次に、本発明の他の実施例について説明する。図１、図２及び図６を参照して、縦型筒状筐体１ａの筐体上部の上部開口部１ｃに筐体１ａの内部を換気可能なノズル５ａを更に設ける。更に、筐体下部の下部開口部１ｂを開閉するゲート開閉手段であるゲート駆動手段２ｂの外側のゲートカバー５上部にゲート２上部を換気可能なノズル５ｂを更に設ける。そして、ノズル５ａ、５ｂと配管接続した送風機５ｃにより医療廃棄物を加熱圧縮する過程で発生するガスを吸引し、かつ、送風機５ｃの吐出口にガスを脱臭するための脱臭手段５ｄと病原菌を濾過するための濾過手段５ｅとを更に具える。
【００６０】
これを、医療廃棄物処理方法の観点から見てみると、縦型筒状筐体１ａの筐体上部の上部開口部１ｃに設けられた筐体１ａの内部を換気可能なノズル５ａ、及び筐体下部の下部開口部１ｂを開閉するゲート開閉手段であるゲート駆動手段２ｂの外側のゲートカバー５上部にゲート２の上部を換気可能なノズル５ｂと配管接続した送風機５ｃにより医療廃棄物を加熱圧縮する過程で発生するガスを吸引する段階と、送風機５ｃの吐出口の脱臭手段５ｄによりガスを脱臭する段階と、送風機５ｃの吐出口の濾過手段５ｅより病原菌を濾過す段階とを有することになる。
【００６１】
これにより、医療廃棄物を加熱圧縮により溶融滅菌減容する際に発生する廃ガスは、筒状筐体１ａ内部及びゲート２上部を強制換気することにより完全に脱臭・除菌できるため、医療廃棄物処理装置１を設置している部屋は病院内の病室などよりもクリーンレベルが飛躍的に向上し、安全かつ快適な作業環境を提供できる。
【実施例３】
【００６２】
更に、本発明の他の実施例について説明する。図３及び図４を参照して、コンベア６走行方向に走行可能な走行手段であるコンベア駆動手段６ｃを具えた一定間隔一定高さの底付き仕切板６ａと、コンベア６走行方向両側のコンベアフレーム上に配した一定高さのサイドガイド板６ｂとによってバケットを形成するバケットコンベア６に、バケットコンベア６と直交し、かつ、バケットコンベア６走行方向末端のサイドガイド板開口部６ｄから医療廃棄物処理装置１の筐体側部開口部１ｄへ移載するためのプッシャー機構である、押し板７ａ、スライドガイド７ｂ、シュート７ｃ、駆動モーター７ｄ、タイミングベルト７ｅ、及び連結金具７ｆとを具えた自動供給装置７を更に具えている。バケットコンベア６のバケットに医療廃棄物の入ったポリ袋、ポリペール或いは缶類を積載し、医療廃棄物処理装置１で医療廃棄物の処理サイクルが完了する度にバケットコンベア６が１バケット分ずつ前進かつ停止し、バケットに積載している医療廃棄物をプッシャー機構によって医療廃棄物処理装置１に自動供給し、バケットコンベア６が異常ある時にはバケットコンベア６を連続的に前進させ、又は、後退させてバケットコンベア６のバケットに積載してある医療廃棄物を取り出すことができる。
【００６３】
これを、医療廃棄物処理方法の観点から見てみると、コンベア６走行方向に走行可能な走行手段であるコンベア駆動手段６ｃを具えた一定間隔一定高さの底付き仕切板６ａと、コンベア６走行方向両側のコンベアフレーム上に配した一定高さのサイドガイド板６ｂとによってバケットを形成するバケットコンベア６のバケットに医療廃棄物の入ったポリ袋、ポリペール或いは缶類を積載する段階と、医療廃棄物処理装置１で医療廃棄物の処理サイクルが完了する度にバケットコンベア６が１バケット分ずつ前進かつ停止する段階と、バケットに積載している医療廃棄物をバケットコンベア６走行方向末端のサイドガイド板開口部６ｄから医療廃棄物処理装置１の筐体側部開口部１ｄへ移載するためのプッシャー機構である、押し板７ａ、スライドガイド７ｂ、シュート７ｃ、駆動モーター７ｄ、タイミングベルト７ｅ、及び連結金具７ｆとを具えた自動供給装置７のプッシャー機構によって医療廃棄物処理装置１に自動供給する段階と、バケットコンベア６が異常ある時にはバケットコンベア６を連続的に前進させ、又は、後退させてバケットコンベア６のバケットに積載してある医療廃棄物を取り出すことができる段階とを有することになる。
なお、バケットコンベア６の具体的構成は特許文献２に詳述されているので、これ以上説明しない。
【００６４】
これにより、医療廃棄物の入ったポリ袋、ポリペール及び缶類を自動供給できるため医療廃棄物処理作業の省力化ができるばかりか、医療廃棄物の医療廃棄物処理装置１に異常ある時にもバケットコンベア６上の医療廃棄物を速やかに回収できるため、トラブル対策の作業性が飛躍的に向上する。
【実施例４】
【００６５】
また、本発明の他の実施例について説明する。図５及び図８を参照して、上下方向に昇降可能な昇降手段である駆動手段８ｅを具えた可動板８ａの下部に熱風吹込及び排気用突き刺しノズル８ｃ、８ｄを緊結し、かつ、突き刺しノズル８ｃ、８ｄと熱風温度を調節可能な熱風温度調節手段である空気加熱器８ｈを具えた熱風発生装置とを配管接続することによって構成する医療廃棄物予熱装置８を更に具えている。バケットコンベア６のバケット内に積載している医療廃棄物の入ったポリ袋及びポリペールに突き刺しノズル８ｃ、８ｄを突き刺して、熱風発生装置の熱風吹き込みによる医療廃棄物の予熱によってサイクルタイムを短縮し、かつ、上下方向に昇降可能な昇降手段を具えた可動板８ａの周囲を排気ノズル９ａ付きのカバー９で被い、かつ、カバー９の排気ノズル９ａと排気口にガスを脱臭するための脱臭手段である脱臭フィルター９ｃと病原菌を濾過するための濾過手段である除菌フィルター９ｄとを具えた送風機９ｂの吸入口とを配管接続し、可動板８ａに緊結している排気用突き刺しノズル８ｃ、８ｄから発生する排気ガスを脱臭及び濾過できる。
【００６６】
これを、医療廃棄物処理方法の観点から見てみると、バケットコンベア６のバケット内に積載している医療廃棄物の入ったポリ袋及びポリペールに、上下方向に昇降可能な昇降手段である駆動手段８ｅを具えた可動板８ａの下部に熱風吹込及び排気用突き刺しノズル８ｃ、８ｄを緊結し、かつ、突き刺しノズル８ｃ、８ｄと熱風温度を調節可能な熱風温度調節手段である空気加熱器８ｈを具えた熱風発生装置とを配管接続することによって構成する医療廃棄物予熱装置８の突き刺しノズル８ｃ、８ｄを突き刺して、熱風発生装置の熱風吹き込みによる医療廃棄物の予熱によってサイクルタイムを短縮する段階と、上下方向に昇降可能な昇降手段である駆動手段８ｅを具えた可動板８ａの周囲を排気ノズル９ａ付きのカバー９で被い、かつ、カバー９の排気ノズル９ａと排気口にガスを脱臭するための脱臭手段である脱臭フィルター９ｃと病原菌を濾過するための濾過手段である除菌フィルター９ｄとを具えた送風機９ｂの吸入口とを配管接続することにより、可動板８ａに緊結している排気用突き刺しノズル８ｃ、８ｄから発生する排気ガスを脱臭及び濾過できる段階とを有することになる。
なお、医療廃棄物予熱装置８の具体的構成は特許文献３に詳述されているのでこれ以上説明しない。
【００６７】
これにより、医療廃棄物は予熱手段によりサイクルタイムが短縮できるばかりか、医療廃棄物予熱装置からの廃ガスを強制換気することにより完全に脱臭・除菌できるため、医療廃棄物処理装置１の本質的な安全化が可能となり、かつ、医療廃棄物処理装置１を設置している部屋は病院内の病室などよりもクリーンレベルが飛躍的に向上し、安全かつ快適な作業環境を提供できる。
【実施例５】
【００６８】
更に、本発明の他の実施例について説明する。図３を参照して、医療廃棄物予熱装置８で医療廃棄物を熱風のみで加熱滅菌処理し、医療廃棄物処理装置１を経由せずバケットコンベア６から医療廃棄物を排出し、医療廃棄物の内容物を塩ビ系及び非塩ビ系に手動により分別できる。
【００６９】
これを、医療廃棄物処理方法の観点から見てみると、医療廃棄物予熱装置８で医療廃棄物を熱風のみで加熱滅菌処理する段階と、医療廃棄物処理装置１を経由せずバケットコンベア６から医療廃棄物を排出する段階とを更に有し、医療廃棄物の内容物を塩ビ系及び非塩ビ系に手動により分別できることになる。
【００７０】
これにより、滅菌済み医療廃棄物に含まれる厄介者の塩ビ系医療廃棄物を完全に分別できるため、塩ビ系廃棄物が取り除かれた滅菌済み廃棄物は粉砕加工等により即座にエネルギーリサイクルが可能となる。
【実施例６】
【００７１】
また、本発明の他の実施例について説明する。図５及び図８を参照して、上下方向に昇降可能な昇降手段である駆動手段８ｅを具えた可動板８ａに緊結した熱風吹き込み用突き刺しノズル８ｃ、８ｄに電気的に開閉可能な電磁弁１０ｂを具えた窒素ガス供給用配管を更に配管接続する。また、排気用突き刺しノズル８ｄに排気ガスの異常温度上昇を検知するための温度計である温度検知器１０ａを更に具え、ポリ袋及びポリペール内に熱風を吹き込むことによって医療廃棄物に混入している脱酸素剤が発火し火災が発生した場合に、温度計である温度検知器１０ａで排気ガスの異常温度上昇を検知し、窒素ガス供給用配管の電磁弁１０ｂが電気的に連動して開き、ポリ袋及びポリペール内に窒素ボンベ１０の窒素ガスを吹き込むことによってポリ袋及びポリペール内で発生した火災を自動的に消化できる。
【００７２】
これを、医療廃棄物処理方法の観点から見てみると、ポリ袋及びポリペール内に熱風を吹き込むことによって医療廃棄物に混入している脱酸素剤が発火し火災が発生した場合に、排気用突き刺しノズル８ｄに排気ガスの異常温度上昇を検知するための温度計である温度検知器１０ａで排気ガスの異常温度上昇を検知する段階と、上下方向に昇降可能な昇降手段である駆動手段８ｅを具えた可動板８ａに緊結した熱風吹き込み用突き刺しノズル８ｃ、８ｄに電気的に開閉可能な電磁弁１０ｂを具えた窒素ガス供給用配管の電磁弁１０ｂが電気的に連動して開き、ポリ袋及びポリペール内に窒素ボンベ１０の窒素ガスを吹き込むことによってポリ袋及びポリペール内で発生した火災を自動的に消化できる段階とを有することである。
【００７３】
これにより、患者の見舞客が持参する菓子類の脱酸素剤が医療廃棄物に混入し、脱酸素剤が予熱工程で発火し火災が発生しても排気用突き刺しノズル８ｄに設けてある温度計１である温度検知器１０ａにより排気ガスの異常温度上昇を即座に検知して火災が発生している医療廃棄物の入ったポリ袋及びポリペールに窒素ガス吹き込みによって火災を消火できるため、本質的に安全な医療廃棄物処理装置１とすることができる。
【実施例７】
【００７４】
更に、本発明の他の実施例について説明する。図３を参照して、バケットコンベア６のサイドガイド板６ｂ両側の同一軸線上に光電スイッチ用孔１１を更に設ける。更に、サイドガイド板６ｂの光電スイッチ用孔１１に光が透過可能な位置に一対の光電スイッチ１１ａを更に配し、光電スイッチ１１ａでバケットコンベア６のバケット内に医療廃棄物の入ったポリ袋、ポリペール或いは缶類の有無を検出し、所定サイクル数の処理完了時に医療廃棄物予熱装置８、バケットコンベア６並びに医療廃棄物処理装置１を自動的に順次停止できる。
【００７５】
これを、医療廃棄物処理方法の観点から見てみると、バケットコンベア６のサイドガイド板６ｂ両側に同一軸線上に設けられた光電スイッチ用孔１１に光が透過可能な位置に配された一対の光電スイッチ１１ａでバケットコンベア６のバケット内に医療廃棄物の入ったポリ袋、ポリペール或いは缶類の有無を検出する段階と、所定サイクル数の処理完了時に医療廃棄物予熱装置８、バケットコンベア６並びに医療廃棄物処理装置１を自動的に順次停止できる段階とを有することになる。
【００７６】
これにより、これまではバケットコンベア６上の医療廃棄物の有無を作業員が目視確認して医療廃棄物処理装置１を手動停止していたものが、光電スイッチ１１ａ及びシーケンサーとの電気的連動により医療廃棄物処理装置１を自動停止できるため飛躍的な省力化が可能となる。
【実施例８】
【００７７】
また、本発明の他の実施例について説明する。図４を参照して、縦型筒状筐体下部に側部孔１ｅを更に設け、側部孔１ｅに抜き差し可能な抜き差し手段である駆動手段１２ｂを具えたフォーク機構１２を更に具え、縦型筒状筐体１ａ側部の側部開口部１ｄから医療廃棄物の入ったポリペール又は缶類を供給する時に、フォーク機構１２のフォークである歯付けラック１２ａを駆動手段１２ａとガイドローラー１２を使用して筐体１ａの内部に前進させてポリペール又は缶類をフォークである歯付けラック１２ａ上に受け、側部開口部１ｄのハッチ４が閉じてからフォークである歯付けラック１２ａを後退させ、筐体下部の下部開口部１ｂにあるゲート２のゲート加熱手段２ａ上にポリペール又は缶類が転倒することなく積載できる。
【００７８】
これを、医療廃棄物処理方法の観点から見てみると、縦型筒状筐体１ａ側部の側部開口部１ｄから医療廃棄物の入ったポリペール又は缶類を供給する時に、縦型筒状筐体下部に設けられた側部孔１ｅに抜き差し可能な抜き差し手段である駆動手段１２ｂを具えたフォーク機構１２のフォークである歯付けラック１２ａを駆動手段１２ａとガイドローラー１２を使用して筐体１ａの内部に前進させてポリペール又は缶類をフォーク上に受ける段階と、側部開口部１ｄのハッチ４が閉じてからフォークである歯付けラック１２ａを後退させ、筐体下部の下部開口部１ｂにあるゲート２のゲート加熱手段２ａ上にポリペール又は缶類が転倒することなく積載できる段階とを有することになる。
なお、フォーク機構１２の具体的構成は特許文献４に詳述されているので、これ以上説明しない。
【００７９】
これにより、缶類のように筒状筐体１ａよりも外形寸法が小さくて缶類に入った廃棄物を医療廃棄物処理装置１に供給する時に、筒状筐体１ａ内部に突き出したフォークである歯付けラック１２ａに缶類を載せハッチを閉じてからフォークである歯付けラック１２ａを後退させるため、缶類の姿勢安定化が可能となり、缶類を缶類の上方から確実に圧縮できるので缶類に入っている医療廃棄物が筒状筐体１ａ内部で散乱する問題は解消することができる。
【実施例９】
【００８０】
更に、本発明の他の実施例について説明する。図８を参照して、医療廃棄物予熱装置８の熱風発生装置に摩擦式送風機８ｇを更に設ける。これにより摩擦式送風機８ｇの摩擦熱で空気を予熱し、熱風発生装置の空気加熱のための電気エネルギーを低減できる。
【００８１】
これを、医療廃棄物処理方法の観点から見てみると、医療廃棄物予熱装置８の熱風発生装置に設けられた摩擦式送風機８ｇの摩擦熱で空気を予熱し、熱風発生装置の空気加熱のための電気エネルギーを低減できる段階を有することになる。
【００８２】
これにより、医療廃棄物を予熱するための空気は摩擦式送風機８ｇ内の空気摩擦により予熱できるため、熱風発生装置で空気を加熱するための電気的エネルギーを大幅に低減することができる。実際に、摩擦式送風機８ｇとして（株）日立産機システム製のボルテックスブロワＶＢ−０６０を使用すると、入り口空気と出口空気との温度差は約６０℃であった。これは空気の加熱温度１８０℃の三分の一にあたる。
【実施例１０】
【００８３】
また、本発明の他の実施例について説明する。図５を参照して、医療廃棄物予熱装置８の上下方向に昇降可能な昇降手段である駆動手段８ｅを具えた可動板に緊結した熱風吹き込み及び排気用突き刺しノズル８ｃ、８ｄをポリ袋又はポリペールに突き刺して予熱している工程において、可動板が常時昇降してポリ袋又はポリペール内の医療廃棄物を万遍なく加熱できる。
【００８４】
これを、医療廃棄物処理方法の観点から見てみると、医療廃棄物予熱装置８の上下方向に昇降可能な昇降手段である駆動手段８ｅを具えた可動板に緊結した熱風吹き込み及び排気用突き刺しノズル８ｃ、８ｄをポリ袋又はポリペールに突き刺して予熱している工程において、可動板が常時昇降してポリ袋又はポリペール内の医療廃棄物を万遍なく加熱できる段階を有することになる。
【００８５】
これにより、医療廃棄物の入ったポリ袋及びポリペールに突き刺しノズル８ｃ、８ｄを突き刺して医療廃棄物を予熱中に、突き刺しノズル８ｃ、８ｄは常時昇降動作を繰り返しているため、ポリ袋及びポリペールに入っている医療廃棄物は万遍なく加熱できるので、予熱動作の信頼性を飛躍的に向上できる。
【実施例１１】
【００８６】
更に、本発明の他の実施例について説明する。図１、及び図２を参照して、縦型筒状筐体下部の下部開口部１ｂのゲート２下方に医療廃棄物の加熱圧縮により溶融滅菌減容して得たケーキを受けるためのスノコ２ｄを更に配している。そして、ゲート２にスノコ２ｄと一定間隔を保持できる押し板２ｃを更に緊結している。ゲート２が開いて落下したケーキをゲート２が閉じる時にゲート２に緊結した押し板２ｃでケーキを自動的に外部に排出できる。
【００８７】
これを、医療廃棄物処理方法の観点から見てみると、ゲートが開いて落下したケーキをゲート２が閉じる時にゲート２に緊結した、縦型筒状筐体下部の下部開口部１ｂのゲート２下方に医療廃棄物の加熱圧縮により溶融滅菌減容して得たケーキを受けるためのスノコ２ｄと一定間隔を保持できる押し板２ｃでケーキを自動的に外部に排出できる段階を更に有することになる。
【００８８】
これにより、加熱圧縮により溶融滅菌減容化処理済みのケーキは、ゲート２に緊結してある押し板２ｃにより確実に機外に順次排出することができるようになる。
【実施例１２】
【００８９】
また、本発明の他の実施例について説明する。図１を参照して、ポリ袋、ポリペール或いは缶類に入った医療廃棄物を、医療廃棄物の排出元である診療科ごとにバーコード又はクイックレスポンスコードを更に貼り付けている。医療廃棄物をバケットコンベア６のバケットに積載する時にバーコード又はクイックレスポンスコードを読み取り、医療廃棄物を加熱圧縮により溶融滅菌減容化処理した後、処理して得られたケーキに排出元情報並びに医療廃棄物予熱装置８及び医療廃棄物処理装置１の処理条件等を電子タグに自動的に書き込み、電子タグをケーキにＩＣタグ貼付装置により自動的に貼り付けて医療廃棄物が適正処理されたことを証明できる。
【００９０】
これを、医療廃棄物処理方法の観点から見てみると、医療廃棄物をバケットコンベア６のバケットに積載する時に、ポリ袋、ポリペール或いは缶類に入った医療廃棄物に、医療廃棄物の排出元である診療科ごとに貼り付けられたバーコード又はクイックレスポンスコードを読み取る段階と、医療廃棄物を加熱圧縮により溶融滅菌減容化処理した後、処理して得られたケーキに排出元情報並びに医療廃棄物予熱装置及び医療廃棄物処理装置１の処理条件等を電子タグに自動的に書き込み、電子タグをケーキにＩＣタグ貼付装置により自動的に貼り付けて医療廃棄物が適正処理されたことを証明できる段階とを有することになる。
なお、バーコード、クイックレスポンスコード、及びＩＣタグ貼付装置は一般的なものを使用するので、これ以上説明しない。
【００９１】
これにより、処理されたケーキの排出元、処理条件等が明確化できるため本発明の装置により医療廃棄物を加熱圧縮処理すれば医療廃棄物の不法投棄問題は完全に解消でき、環境維持に大きく貢献できる。
【実施例１３】
【００９２】
更に、本発明の他の実施例について説明する。図３、及び図４を参照して、バケットコンベア６、医療廃棄物予熱装置８並びに医療廃棄物処理装置１を電気的に連動させ、プログラマブルシーケンサー及びプログラマブルシーケンサーと電気的に連動するタッチパネルディスプレーで統合的に制御できる。
【００９３】
これを、医療廃棄物処理方法の観点から見てみると、バケットコンベア６、医療廃棄物予熱装置８並びに医療廃棄物処理装置１を電気的に連動させ、プログラマブルシーケンサー及びプログラマブルシーケンサーと電気的に連動するタッチパネルディスプレーで統合的に制御できる段階を有することになる。
なお、プログラマブルシーケンサー、及びタッチパネルディスプレーは一般的な物を使用するので、これ以上説明しない。
【００９４】
これにより、本発明の医療廃棄物処理装置１は単に統合的に制御できるばかりでなく、医療廃棄物処理装置１を構成する機械部品類の寿命並びにメンテナンス時期も管理することが可能となる。
【産業上の利用可能性】
【００９５】
本発明により、上述既存の医療廃棄物処理方法に内在する様々な問題は、確実な滅菌減容化処理はもとより労働安全の確保、大気及び水質汚染防止、自然環境の保全、エネルギーリサイクル等すべてを満足できる高度な医療廃棄物処理方法及び医療廃棄物処理装置を医療機関並びに医療廃棄物処理業者に提供することが可能となる。
【００９６】
更に本発明により、これまで不法投棄されがちだった感染性医療廃棄物が排出者である病院内で確実に滅菌減容無害化でき、環境汚染問題等を引き起こさぬよう社会的責任を全うできる。
【符号の説明】
【００９７】
１  医療廃棄物処理装置
１ａ  縦型筒状筐体
１ｂ  下部開口部
１ｃ  上部開口部
１ｄ  側部開口部
１ｅ  側部孔
２  ゲート
２ａ  ゲート加熱手段
２ｂ  ゲート駆動手段
２ｃ  押し板
２ｄ  スノコ
３  ピストン
３ａ  ピストン加熱手段
３ｂ  ピストン昇降手段
４  ハッチ
４ａ  ハッチ開閉手段
５  ゲートカバー
５ａ  ノズル
５ｂ  ノズル
５ｃ  送風機
５ｄ  脱臭フィルター
５ｅ  除菌フィルター
５ｆ  風量調節弁
５ｇ  風量調節弁
６  バケットコンベア
６ａ  底付き仕切り板
６ｂ  サイドガイド板
６ｃ  コンベア駆動手段
６ｄ  サイドガイド板開口部
７  自動供給装置
７ａ  押し板
７ｂ  スライドガイド
７ｃ  シュート
７ｄ  駆動モーター
７ｅ  タイミングベルト
７ｆ  連結金具
８  医療廃棄物予熱装置
８ａ  可動板
８ｂ  押し板
８ｃ  突き刺しノズル
８ｄ  突き刺しノズル
８ｅ  駆動手段
８ｆ  スライドガイド
８ｇ  摩擦式送風機
８ｈ  空気加熱器
８ｉ  電動弁
８ｊ  風量調節弁
９  カバー
９ａ  ノズル
９ｂ  送風機
９ｃ  脱臭フィルター
９ｄ  除菌フィルター
１０  窒素ボンベ
１０ａ  温度検知器
１０ｂ  電磁弁
１１  光電スイッチ用孔
１１ａ  光電スイッチ
１２  フォーク機構
１２ａ  歯付けラック
１２ｂ  駆動手段
１２ｃ  ガイドローラー
【図１】
2013146695.tif 000003
【図２】
2013146695.tif 000004
【図３】
2013146695.tif 000005
【図４】
2013146695.tif 000006
【図５】
2013146695.tif 000007
【図６】
2013146695.tif 000008
【図７】
2013146695.tif 000009
【図８】
2013146695.tif 000010